(57)【要約】【課題】筐体周辺に排出される騒音を低減する。【解決手段】コンピュータ４を実装した筐体３の前面扉３ａに吸気口３ｃを設け、筐体３の底部及びその下部のベース２を貫通して排気口１１を設けるとともに、排気口１１に排気ダクト７を設け、かつ排気ダクト７の内端に排気用ファン５を設け、排気ダクト７からの排気をベース２の下部のフリーアクセス８内に排出する。【選択図】図１
2005301469.tif 000002
【特許請求の範囲】
【請求項１】
周囲に吸気口を有する筐体にコンピュータを実装したコンピュータ装置において、筐体底部及びその下部のベースを貫通して排気口を設けるとともに、この排気口に排気ダクトを設け、かつ排気ダクトの内端に排気用ファンを設け、排気ダクトからの排気をベース下部のフリーアクセス内に排出するようにしたことを特徴とするコンピュータ装置の冷却構造。
【請求項２】
周囲に吸気口を有する筐体にコンピュータを実装したコンピュータ装置において、筐体底部及びその下部のベースに貫通して設けた排気口内に排気用ファンを設けるとともに、ベース下部のフリーアクセス内に排気口と連通する排気ダクトを設けたことを特徴とするコンピュータ装置の冷却構造。
【請求項３】
筐体にコンピュータを実装したコンピュータ装置において、筐体底部及びその下部のベースに貫通して吸気口及び排気口を設けるとともに、排気口内に排気用ファンを設け、かつ吸気口及び排気口とそれぞれ連通する吸気ダクト及び排気ダクトをベース下部のフリーアクセス内に設けたことを特徴とするコンピュータ装置の冷却構造。
【請求項４】
筐体にコンピュータを実装したコンピュータ装置において、筐体内に隔壁を立設し、筐体の隔壁により仕切られた一方の側及び他方の側の底部及びその下部のベースに貫通してそれぞれ吸気口及び排気口を設けるとともに、排気口内に排気用ファンを設け、かつベース下部のフリーアクセス内に吸気口及び排気口とそれぞれ連通する吸気ダクト及び排気ダクトを設けたことを特徴とするコンピュータ装置の冷却構造。
【請求項５】
上記隔壁に吸音材を取り付けたことを特徴とする請求項４記載のコンピュータ装置の冷却構造。
【発明の詳細な説明】
【技術分野】
【０００１】
この発明は、コンピュータを筐体に実装したコンピュータ装置に関し、特にその冷却構造に関するものである。
【背景技術】
【０００２】
従来、コンピュータを筐体に実装したコンピュータ装置の冷却構造としては、図５に示すようなものがあった。図５は従来のコンピュータ装置の側面図であり、基礎１上にはベース２を介して筐体３が設けられ、筐体３内にはコンピュータ４が実装されている。筐体３の前面及び後面にはそれぞれ前面扉３ａ及び後面扉３ｂが開閉自在に設けられ、前面扉３ａの下部には吸気口３ｃが設けられるとともに、後面扉３ｂの上部には排気口３ｄが設けられ、排気口３ｄには排気用ファン５が設けられている。
【０００３】
上記構成において、前面扉３ａの吸気孔３ｃから吸入された空気は筐体３内において矢印６に示すようにコンピュータ４を冷却した後、排気用ファン５により排気口３ｄから筐体３外に排出される。なお、特許文献１及び特許文献２にもコンピュータ装置の冷却構造が示されている。
【特許文献１】特開平１１−８４８５号公報
【特許文献２】特開２０００−９１４８４号公報
【発明の開示】
【発明が解決しようとする課題】
【０００４】
しかしながら、図５に示した従来のコンピュータ装置の冷却構造においては、排気用ファン５が後面扉３ｂの排気口３ｄに設けられているので、排気用ファン５の騒音が直接外部に排出される構造となっており、外部に排出される騒音が大きかった。
【０００５】
この発明は上記のような課題を解決するために成されたものであり、筐体周辺に排出される騒音を低減することができるコンピュータ装置の冷却構造を得ることを目的とする。
【課題を解決するための手段】
【０００６】
この発明の請求項１に係るコンピュータ装置の冷却構造は、周囲に吸気口を有する筐体にコンピュータを実装したコンピュータ装置において、筐体底部及びその下部のベースを貫通して排気口を設けるとともに、この排気口に排気ダクトを設け、かつ排気ダクトの内端に排気用ファンを設け、排気ダクトからの排気をベース下部のフリーアクセス内に排出するようにしたものである。
【０００７】
請求項２に係るコンピュータ装置の冷却構造は、周囲に吸気口を有する筐体にコンピュータを実装したコンピュータ装置において、筐体底部及びその下部のベースに貫通して設けた排気口内に排気用ファンを設けるとともに、ベース下部のフリーアクセス内に排気口と連通する排気ダクトを設けたものである。
【０００８】
請求項３に係るコンピュータ装置の冷却構造は、筐体にコンピュータを実装したコンピュータ装置において、筐体底部及びその下部のベースに貫通して吸気口及び排気口を設けるとともに、吸気口内に排気用ファンを設け、かつ吸気口及び排気口とそれぞれ連通する吸気ダクト及び排気ダクトをベース下部のフリーアクセス内に設けたものである。
【０００９】
請求項４に係るコンピュータ装置の冷却構造は、筐体にコンピュータを実装したコンピュータ装置において、筐体内に隔壁を立設し、筐体の隔壁により仕切られた一方の側及び他方の側の底部及びその下部のベースに貫通してそれぞれ吸気口及び排気口を設けるとともに、排気口内に排気用ファンを設け、かつベース下部のフリーアクセス内に吸気口及び排気口とそれぞれ連通する吸気ダクト及び排気ダクトを設けたものである。
【００１０】
請求項５に係るコンピュータ装置の冷却構造は、上記隔壁に吸音材を取り付けたものである。
【発明の効果】
【００１１】
以上のようにこの発明の請求項１によれば、排気用ファンによる騒音は排気ダクトを介してフリーアクセス内に排出されるので、筐体周辺の騒音を低減することができる。
【００１２】
請求項２によれば、排気用ファンの騒音は排気ダクトを介してフリーアクセス内に排出されるので、やはり筐体周辺の騒音は低減される。又、騒音方向を排気ダクトの方向によって決定することができる。さらに、排気用ファンを排気口内に設けたので、筐体内の部材実装領域を拡大することができる。
【００１３】
請求項３によれば、吸排気を筐体の周囲からではなく、筐体の底部及びその下部のベースを介してフリーアクセス内に行うので、筐体の周囲への吸排気の騒音を低減することができる。又、騒音方向は各ダクトの方向により決定され、排気用ファンを排気口内に設けたので、筐体内の実装領域を拡大することができる。
【００１４】
請求項４によれば、筐体内を隔壁により仕切ったので、筐体内の空気の流れが整流され、冷却効果を高めることができる。その他は、請求項３と同様な効果を奏する。
【００１５】
請求項５によれば、隔壁に吸音材を取り付けたので、騒音が吸音され、騒音を低減することができる。その他、請求項４と同様な効果を奏する。
【発明を実施するための最良の形態】
【００１６】
実施最良形態１
以下、この発明を実施するための最良の形態を図面とともに説明する。図１はこの発明の実施最良形態１によるコンピュータ装置の冷却構造の要部断面側面図を示し、筐体３の前面扉３ａの下部には吸気口３ｃが設けられている。又、筐体３の底部及びその下部のベース２を貫通して排気口１１が設けられ、排気口１１には排気ダクト７が設けられ、排気ダクト７の内端には排気用ファン５が設けられる。又、ベース２と基礎１との間には配線のための空間であるフリーアクセス８が設けられており、フリーアクセス８の上面には配線のための孔を有するパネル９が適宜の支持部材により支持されて設けられている。ベース２の下部においては、パネル９が除去されている。
【００１７】
上記構成において、前面扉３ａの吸気口３ｃから吸入された空気は矢印１０に示すように筐体３内を流れてコンピュータ４を冷却した後、排気用ファン５、排気ダクト７を通り、フリーアクセス８内に排出される。このため、排気用ファン５による騒音も排気ダクト７を介してフリーアクセス８内に排出される。
【００１８】
実施最良形態１においては、排気用ファン５による騒音が排気ダクト７を介してフリーアクセス８内に排出されることから、筐体３の周辺の騒音が低減される。
【００１９】
実施最良形態２
図２は実施最良形態２によるコンピュータ装置の冷却構造の要部断面側面図を示し、筐体３の前面扉３ａの上部には吸気口３ｃが設けられている。又、筐体３の底部及びその下部のベース２に貫通して設けた排気口１１内に排気用ファン５を設けるとともに、ベース下部のフリーアクセス８内には排気口１１と連通する排気ダクト１２を設ける。
【００２０】
上記構成において、前面扉３ａの吸気口３ｃから吸入された空気は矢印１３に示すように筐体３内を流れてコンピュータ４を冷却した後、排気用ファン５及び排気ダクト１２を介してフリーアクセス８内に排出され、排気用ファン５の騒音も排気ダクト１２を介してフリーアクセス８内に排出される。
【００２１】
実施最良形態２においても、排気用ファン５の騒音はフリーアクセス８内に排出されるので、やはり筐体３の周辺の騒音は低減される。しかも、騒音方向を排気ダクト１２の方向によって決定することができる。又、排気用ファン５を筐体３の底部及びその下部のベース２に貫通して設けた排気口１１内に設けたので、筐体３内の部材の実装領域を拡大することができる。
【００２２】
実施最良形態３
図３は実施最良形態３によるコンピュータ装置の要部断面側面図を示し、筐体３には吸気口も排気口も設けない。筐体３の底部及びその下部のベース２には吸気口１４及び排気口１１を貫通して設け、排気口１１内には排気用ファン５を設ける。又、フリーアクセス８内にはそれぞれ吸気口１４及び排気口１１と連通する吸気ダクト１５及び排気ダクト１２を設ける。
【００２３】
上記構成において、フリーアクセス８から吸気ダクト１５を介して吸入された空気は矢印１６に示すように筐体３内を流れてコンピュータ４を冷却した後、排気用ファン５及び排気ダクト１２を介してフリーアクセス８内に排出される。
【００２４】
実施最良形態３においては、筐体の底部及びその下部のベースを介してフリーアクセス内から吸排気を行い、筐体の底部以外からは吸排気が行われないので、筐体の周辺部への騒音は低減される。又、騒音方向は各ダクト１５，１２のの方向により決定され、さらに排気用ファンを排気口内に設けたので、筐体内の実装領域を拡大することができる。
【００２５】
実施最良形態４
図４は実施最良形態４によるコンピュータ装置の要部断面側面図を示し、筐体３には吸気口も排気口も設けず、内部をほぼ半分に仕切る隔壁１７を底部上に立設する。又、隔壁１７の両面には吸音材１８を取り付ける。筐体３の隔壁１７により仕切られた一方の側及び他方の側の底部及びその下部のベース２にはおれぞれ吸気口１４及び排気口１１を貫通して設けるとともに、排気口１１内に排気用ファン５を設け、フリーアクセス８ないにはそれぞれ吸気口１４及び排気口１１と連通下吸気ダクト１５及び排気ダクト１２を設ける。
【００２６】
上記構成において、フリーアクセス８から吸気ダクト１５を介して吸入された空気は隔壁１７を設けたことにより矢印１９に示すように筐体３内を流れてコンピュータ４を冷却した後、排気用ファン５及び排気ダクト１２を介してフリーアクセス８内に排出される。
【００２７】
実施最良形態４においては、隔壁１７を設けたことにより筐体３内の空気の流れが整流され、冷却効果を高めるることができる。又、吸音材１８を設けたことによって騒音が吸音され、騒音を低減することができる。その他、実施最良形態３と同様な効果を奏する。
【図面の簡単な説明】
【００２８】
【図１】この発明の実施最良形態１によるコンピュータ装置の冷却構造の要部断面側面図である。
【図２】実施最良形態２によるコンピュータ装置の冷却構造の要部断面側面図である。
【図３】実施最良形態３によるコンピュータ装置の冷却構造の要部断面側面図である。
【図４】実施最良形態４によるコンピュータ装置の冷却構造の要部断面側面図である。
【図５】従来のコンピュータ装置の側面図である。
【符号の説明】
【００２９】
２…ベース
３…筐体
３ｃ，１４…吸気口
４…コンピュータ
５…排気用ファン
７…排気ダクト
８…フリーアクセス
１１…排気口
１２…排気ダクト
１５…吸気ダクト
１７…隔壁
１８…吸音材
【図１】
2005301469.tif 000003
【図２】
2005301469.tif 000004
【図３】
2005301469.tif 000005
【図４】
2005301469.tif 000006
【図５】
2005301469.tif 000007